(57)【要約】【課題】積み重ねて遊んだり、または飾ったりするだけでなく、アクセサリーとして携帯して使用することもできるブロック玩具を提供する。【解決手段】ブロック玩具１０は、ブロック本体２０と、ブロック本体と他のブロック本体とを連結する連結部３０とを備えている。連結部３０は、ブロック本体２０の上面２１に形成された突状部３１と、ブロック本体２０の底面２２に形成された凹部３２とから形成されている。突状部３１を他のブロック玩具１０の凹部３２に嵌め込むことで、ブロック玩具１０同士を連結することができる。突状部３１には、携帯用の紐状体の一例であるボールチェーンＢを通すための貫通孔３１ａが形成されている。突状部３１にボールチェーンＢを通すことで、ブロック玩具１０を容易に携帯することができ、アクセサリーとして使用することができる。【選択図】図１
2016002366.tif 000002
【特許請求の範囲】
【請求項１】
ブロック本体と、ブロック本体と他のブロック本体とを連結する連結部とを備え、
前記連結部は、前記ブロック本体の一方の面に形成された突状部と、前記ブロック本体の他方の面に形成された前記突状部が嵌合する凹部とから形成され、
前記突状部には、携帯用の紐状体を通す貫通孔が形成されているブロック玩具。
【請求項２】
前記突状部は、輪郭形状が円弧状に形成されている請求項１記載のブロック玩具。
【請求項３】
前記ブロック本体に内蔵された音発生装置と、前記音発生装置を起動させるスイッチとが設けられた請求項１または２記載のブロック玩具。
【請求項４】
前記スイッチは、押し釦スイッチにより形成され、
前記押し釦スイッチの操作面は、前記ブロック本体の表面から窪んだ位置に配置されている請求項３記載のブロック玩具。
【請求項５】
前記音発生装置から放音するスピーカは、前記ブロック本体の一方の面および他方の面以外の面に配置されている請求項３または４記載のブロック玩具。
【発明の詳細な説明】
【技術分野】
【０００１】
本発明は、ブロック本体同士が連結部によって連結できるブロック玩具に関するものである。
【背景技術】
【０００２】
ブロック玩具は、いくつも連結して長くしたり、大きくしたりして遊べる玩具である。ブロック玩具は、様々な形状のものが知られている。
例えば、特許文献１には、六角柱形状に形成され、かつ一方の底面に六角柱形状の突起（突状部）を嵌合できる正六角柱形状の凹部が形成され、かつ側面に六角柱状の突起または凹部が形成され、ブロック本体に音出し装置が収容された記載のブロック玩具ユニットが記載されている。
【０００３】
また、特許文献２には、相互に連結可能な複数の箱体からなり、各箱体に他の箱体との連結を許容する嵌合凹部および嵌合凸部（突状部）と、楽音信号発生手段と、楽音信号発生手段を起動する操作スイッチと、嵌合凹部（凹部）に設けられ、楽音信号発生手段を起動する信号を入力する入力手段と、嵌合凸部に設けられ、楽音信号発生手段による楽音信号の発生終了を表す信号を出力する出力手段とを備えた教育用玩具が記載されている。
【先行技術文献】
【特許文献】
【０００４】
【特許文献１】実開昭６０−４３３９７号公報
【特許文献２】特開昭６３−１６３３８９号公報
【発明の概要】
【発明が解決しようとする課題】
【０００５】
ブロック玩具は、突状部と凹部とを嵌合させて、積み上げて遊ぶものであるため、特許文献１，２に記載の従来のブロック玩具は、単に互いを連結させるだけである。
しかし、ブロック玩具によっては、アクセサリーとして、積み重ねて飾ったり、単体または互いを連結した状態で携帯したりして使用したいという要望がある。
特許文献１，２に記載の従来のブロック玩具では、積み重ねて飾ることはできるが、携帯するには不向きな形状である。
【０００６】
そこで本発明は、積み重ねて遊んだり、または飾ったりするだけでなく、アクセサリーとして携帯して使用することもできるブロック玩具を提供することを目的とする。
【課題を解決するための手段】
【０００７】
本発明のブロック玩具は、ブロック本体と、ブロック本体と他のブロック本体とを連結する連結部とを備え、前記連結部は、ブロック本体の一方の面に形成された突状部と、前記ブロック本体の他方の面に形成された前記突状部に嵌合する凹部とから形成され、前記突状部には、携帯用の紐状体を通す貫通孔が形成されていることを特徴とする。
【０００８】
本発明のブロック玩具によれば、ブロック本体の一方の面に形成された突状部を、他のブロック玩具のブロック本体の他方の面に形成された凹部に嵌合させることで、互いに連結することができる。突状部には貫通孔が形成されているため、突状部に紐状体を通すことができる。突状部に紐状体を通すことで、持ちやすくなり、鞄などに付けやすくなるため、携帯しやくなる。
【０００９】
前記突状部は、輪郭形状が円弧状に形成されていると、衣類に引っ掛けたり、手に引っ掛けたりし難いため、突状部を壊しにくく、手に傷を付け難い。
【００１０】
前記ブロック本体に内蔵された音発生装置と、前記音発生装置を起動させる押し釦スイッチとが設けられていると、単に積み重ねて遊ぶだけでなく、ブロック玩具に、高い機能を持たせることができる。
【００１１】
前記押し釦スイッチの操作面が、前記ブロック本体の表面から窪んだ位置に配置されていると、押し釦スイッチが押し難くなるため、利用者が押し釦スイッチを誤って押下してしまうことを防止することができる。
【００１２】
音発生装置から放音するスピーカが、前記ブロック本体の一方の面および他方の面以外の面に配置されていると、ブロック玩具を積み重ねた状態でも、他のブロック玩具によりスピーカが塞がれてしまうことが防止できる。従って、スピーカから発せられる音が、こもってしまうことを防止することができ、明瞭に放音させることができる。
【発明の効果】
【００１３】
本発明のブロック玩具は、突状部に紐状体を通すことができるので、突状部に紐状体を通すことで、持ちやすくなり、鞄などに付けやすくなるため、携帯しやくなる。従って、本発明のブロック玩具は、積み重ねて遊んだり、または飾ったりするだけでなく、アクセサリーとして携帯して使用することもできる。
【図面の簡単な説明】
【００１４】
【図１】本発明の実施の形態に係るブロック玩具を示す図であり、（Ａ）は正面側から見た斜視図、（Ｂ）は背面側から見た斜視図である。
【図２】図１に示すブロック玩具の底面図である。
【図３】図１に示すブロック玩具の内部と、連結状態を説明するための図である。
【発明を実施するための形態】
【００１５】
本発明の実施の形態に係るブロック玩具について、図面に基いて説明する。
図１（Ａ）および同図（Ｂ）と、図２に示すように、ブロック玩具１０は、ブロック本体２０と、連結部３０とを備えている。
ブロック本体２０は、樹脂製で、立方体状に形成された箱体である。
連結部３０は、ブロック本体２０の一方の面となる上面２１に形成された突状部３１と、一方の面とは反対側の他方の面となる底面２２に形成された凹部３２とから形成されている。
【００１６】
突状部３１は、輪郭形状が円弧状に形成され、上面２１の中央部に配置されている。本実施の形態では、突状部３１は、略半円状に形成されている。突状部３１には、半円状の貫通孔３１ａが形成されている。
凹部３２は、底面２２の中央部に配置されている。凹部３２は、他のブロック玩具の突状部３１が嵌合する挿入用孔である。本実施の形態では、凹部３２は細長孔に形成されているが、窪んだ穴とすることもできる。
【００１７】
凹部３２の幅は、突状部３１の厚みより少し幅広く形成されている。凹部３２の長さは、他のブロック玩具の突状部３１が挿入されたときに、ブロック本体２０同士が簡単に離れないように、凹部３２の長手方向の両端の内側面３２ａが、突状部３１の基端部３１ｂのそれぞれの外側面に接触する長さに形成されている。
【００１８】
ブロック本体２０の前面２３には、押し釦スイッチ４０が配置されている。この押し釦スイッチ４０は、操作面４１が円形状に形成されている。操作面４１は、ブロック本体２０の表面２３ａから窪んだ位置に配置されている。本実施の形態では、操作面４１が、ブロック本体２０の表面から、約０．１ｍｍ程度のわずかに奥まった位置に配置されている。
ブロック本体２０の背面２４には、後述するスピーカのための放音用孔２４ａが同心円上に配置されている。
【００１９】
ブロック本体２０には、音発生装置５０が内蔵されている。
音発生装置５０は、発生回路部材５１と、電池５２と、スピーカ５３とを備えている。発生回路部材５１は、音源となるデジタルデータからアナログの音信号へ変換するＤＡ変換器と、この音信号を増幅する増幅器とを備えている。電池５２は、発生回路部材５１の電源となるボタン電池である。電池５２は基板５２ａに取り付けられている。基板５２ａはブロック本体２０の内部に嵌め込まれている。
スピーカ５３は、ブロック本体２０の背面２４に取り付けられている。スピーカ５３は、発生回路部材５１からの音信号に基づいて放音するものである。
【００２０】
以上のように構成された本発明の実施の形態に係るブロック玩具の動作および使用状態を図面に基づいて説明する。
【００２１】
ブロック玩具１０を連結する場合には、図１から図３に示すように、一方のブロック玩具１０の突状部３１を、他方のブロック玩具１０の凹部３２へ挿入する。
凹部３２の長手方向の両端の内側面３２ａが、突状部３１の基端部３１ｂのそれぞれの外側面に接触する長さに形成されているため、突状部３１が基端部３１ｂまで深く凹部３２に挿入されると、基端部３１ｂの外側面が、凹部３２の両端の内側面３２ａに接触して、突状部３１が凹部３２に嵌合する。従って、ブロック玩具１０は、他のブロック玩具の突状部３１が挿入されたときに、ブロック本体２０同士が簡単に離れない。
このようにして、ブロック玩具１０を連結して積み重ねることができる。
【００２２】
次に、音発生装置５０の動作を図３に基づいて説明する。
利用者が、押し釦スイッチ４０を押下すると、電池５２からの電源を受けて、発生回路部材５１が起動する。発生回路部材５１が起動すると、音源となるデジタルデータをアナログの音信号にＤＡ変換し、この音信号を増幅してスピーカ５３へ出力する。そして、スピーカ５３から音信号に基づいて放音する。
音源となるデジタルデータは、様々な音とすることができる。例えば、音楽や音声、または、自然の音や人工な音とすることができる。
【００２３】
このようにブロック玩具１０に音発生装置５０が内蔵されているため、ブロック玩具１０は、単に積み重ねて遊ぶだけでなく、高い機能を持たせることができる。
【００２４】
このブロック玩具１０を携帯してアクセサリーとして使用するときには、図１（Ａ）に示すように、突状部３１の貫通孔３１ａに紐状体を通すことができる。
突状部３１の貫通孔３１ａに紐状体を通すことで、利用者は、ブロック玩具１０をキーホルダーとして使用することができる。また、利用者は、ブロック玩具１０を鞄に付けることができる。また、突状部３１の貫通孔３１ａに紐状体を通すことで、全体の長さが長くなるため、ブロック玩具１０を紛失し難い。
【００２５】
本実施の形態に係るブロック玩具１０では、図１（Ａ）に示すように、紐状体としたボールチェーンＢを突状部３１の貫通孔３１ａに通し、ボールチェーンＢを円環状にしている。
紐状体は、ボールチェーンＢとする以外に、リングを連結したチェーンやワイヤ、繊維製の紐とすることができる。
紐状体は、円環状とする以外に、もやい結び、ふた結びなどで突状部３１に括り付けることができる。また、紐状体の先端部を突状部３１の貫通孔３１ａに通した後に、この先端部を紐状体に重ね合わせ、重ね合わせ部分を、かしめ部材により固定してもよい。
【００２６】
このように、本実施の形態に係るブロック玩具１０は、突状部３１には貫通孔３１ａが形成されているため、ボールチェーンＢを通すことができる。そのため、ブロック玩具１０は、持ちやすく、鞄などに付けやすいので、携帯しやすい。従って、ブロック玩具１０は、積み重ねて遊んだり、または飾ったりするだけでなく、アクセサリーとして携帯して使用することもできる。
【００２７】
また、突状部３１は、輪郭形状が、角がない略半円状に形成されているため、ブロック玩具１０をポケットに入れた状態であっても生地に引っ掛かり難い。また、利用者がポケットに入れたブロック玩具１０を手探りで探しても、突状部３１が手に引っ掛かり難い。従って、ブロック玩具１０は、突状部を壊しにくく、手に傷を付け難い。
【００２８】
更に、押し釦スイッチ４０の操作面４１が、ブロック本体２０の表面２３ａから窪んだ位置に配置されているため、押し釦スイッチ４０が押し難い。従って、利用者が押し釦スイッチ４０を誤って押下してしまうことを防止することができる。
【００２９】
また、スピーカ５３が、突状部３１と凹部３２とが形成された上面２１および底面２２以外の面に形成されているため、ブロック玩具１０を積み重ねた状態でも、他のブロック玩具１０により放音用孔２４ａが塞がれてしまうことが防止できる。従って、スピーカ５３から発せられる音が、こもってしまうことを防止することができ、明瞭に放音させることができる。
【産業上の利用可能性】
【００３０】
本発明のブロック玩具は、
に好適である。
【符号の説明】
【００３１】
１０  ブロック玩具
２０  ブロック本体
２１  上面
２２  底面
２３  前面
２３ａ  表面
２４  背面
２４ａ  放音用孔
３０  連結部
３１  突状部
３１ａ  貫通孔
３１ｂ  基端部
３２  凹部
３２ａ  両端の内側面
４０  押し釦スイッチ
４１  操作面
５０  音発生装置
５１  発生回路部材
５２  電池
５２ａ  基板
５３  スピーカ
Ｂ  ボールチェーン
【図１】
2016002366.tif 000003
【図２】
2016002366.tif 000004
【図３】
2016002366.tif 000005